(57)【特許請求の範囲】
【請求項１】
対向する関係にあるプラスチックフィルムから構成された袋本体（１）の上端に設けられた開口部（１ａ）に、前記袋本体（１）とは別に形成された樹脂製のチャックテープ（２）が接着されており、このチャックテープ（２）を開放及び閉鎖するためのスライダー（３）が上記開口部（１ａ）を跨ぐようにして設けられたものであって、
上記チャックテープ（２）は、対向するように配位された二枚のテープ状体からなり、
上記二枚のうちの一方側テープ（２ａ）には、表面から突出するようにして、長手方向に延びる一方側嵌合条部（２１ａ）が設けられており、
上記二枚のうちの他方側テープ（２ｂ）には、上記一方側テープ（２ａ）と対向する表面から突出するようにして、上記一方側嵌合条部（２１ａ）に嵌合可能な、長手方向に延びる他方側嵌合条部（２１ｂ）が設けられており、
上記一方側テープ（２ａ）と他方側テープ（２ｂ）との少なくとも一方には、表面から突出するようにして、上記嵌合条部（２１ａ，２１ｂ）よりも上方において平行にガイド用凸条（２２）が設けられており、
スライダー（３）は、開口時スライダー位置（Ｏ）から閉鎖時スライダー位置（Ｓ）までの間を上記チャックテープ（２）に沿って移動可能とされており、上記開口部（１ａ）を跨ぐように設けられたスライダー本体（３１）と、
上記スライダー本体（３１）の上方部分（３１１）における内面から突出したものであり、上記対向する一方側テープ（２ａ）と他方側テープ（２ｂ）との間に挟まれるようにして設けられた内側ガイド（３２）と、
上記スライダー本体（３１）のうち側方部分（３１２）における内面から突出したものであり、上記袋本体（１）の外側表面に当接するように設けられた外側ガイド（３３）とを備えており、
上記内側ガイド（３２）は、上記嵌合条部（２１ａ，２１ｂ）とガイド用凸条（２２）との間において、上記各テープ（２ａ，２ｂ）の間を広げることにより、各嵌合条部（２１ａ，２１ｂ）を引き離して開口部（１ａ）を開放するように配位されるものであり、
上記開口部（１ａ）は、開口部止めシール（１１，１２）が形成されたことにより、上記の開口時スライダー位置（Ｏ）と閉鎖時スライダー位置（Ｓ）におけるスライダー（３）に各々隣接する部分の一方側テープ（２ａ）と他方側テープ（２ｂ）とが接着されており、
上記のうち、上記閉鎖時スライダー位置（Ｓ）の側に設けられた閉鎖側開口部止めシール（１１）が、少なくとも内側閉鎖シール（１１１）と下部シール（１１２）の二つの部分により構成されており、
上記内側閉鎖シール（１１１）は、上端（１１１ａ）が上記嵌合条部（２１ａ，２１ｂ）よりも上であり、かつ、スライダー（３）の上記開口時スライダー位置（Ｏ）と閉鎖時スライダー位置（Ｓ）との間でのチャックテープ（２）に沿った移動の際に、内側ガイド（３２）と干渉することのない位置に設けられており、
下部シール（１１２）は、上端（１１２ａ）が上記嵌合条部（２１ａ，２１ｂ）よりも下の位置に設けられており、上記内側閉鎖シール（１１１）よりも袋本体（１）の側端側の少なくとも一部で、上記一方側嵌合条部（２１ａ）と他方側嵌合条部（２１ｂ）とが接着されない状態とされたことを特徴とする密封袋。
【請求項２】
対向する関係にあるプラスチックフィルムから構成された袋本体（１）の上端に設けられた開口部（１ａ）に、前記袋本体（１）とは別に形成された樹脂製のチャックテープ（２）が接着されており、このチャックテープ（２）を開放及び閉鎖するためのスライダー（３）が上記開口部（１ａ）を跨ぐようにして設けられたものであって、
上記チャックテープ（２）は、対向するように配位された二枚のテープ状体からなり、
上記二枚のうちの一方側テープ（２ａ）には、表面から突出するようにして、長手方向に延びる一方側嵌合条部（２１ａ）が設けられており、
上記二枚のうちの他方側テープ（２ｂ）には、上記一方側テープ（２ａ）と対向する表面から突出するようにして、上記一方側嵌合条部（２１ａ）に嵌合可能な、長手方向に延びる他方側嵌合条部（２１ｂ）が設けられており、
上記一方側テープ（２ａ）と他方側テープ（２ｂ）との少なくとも一方には、表面から突出するようにして、上記嵌合条部（２１ａ，２１ｂ）よりも上方において平行にガイド用凸条（２２）が設けられており、
スライダー（３）は、開口時スライダー位置（Ｏ）から閉鎖時スライダー位置（Ｓ）までの間を上記チャックテープ（２）に沿って移動可能とされており、上記開口部（１ａ）を跨ぐように設けられたスライダー本体（３１）と、
上記スライダー本体（３１）の上方部分（３１１）における内面から突出したものであり、上記対向する一方側テープ（２ａ）と他方側テープ（２ｂ）との間に挟まれるようにして設けられた内側ガイド（３２）と、
上記スライダー本体（３１）のうち側方部分（３１２）における内面から突出したものであり、上記袋本体（１）の外側表面に当接するように設けられた外側ガイド（３３）とを備えており、
上記内側ガイド（３２）は、上記嵌合条部（２１ａ，２１ｂ）とガイド用凸条（２２）との間において、上記各テープ（２ａ，２ｂ）の間を広げることにより、各嵌合条部（２１ａ，２１ｂ）を引き離して開口部（１ａ）を開放するように配位されるものであり、
上記開口部（１ａ）は、開口部止めシール（１１，１２）が形成されたことにより、上記の開口時スライダー位置（Ｏ）と閉鎖時スライダー位置（Ｓ）におけるスライダー（３）に各々隣接する部分の一方側テープ（２ａ）と他方側テープ（２ｂ）とが接着されており、
上記のうち、上記閉鎖時スライダー位置（Ｓ）の側に設けられた閉鎖側開口部止めシール（１１）が、少なくとも内側閉鎖シール（１１１）と下部シール（１１２）の二つの部分により構成されており、
上記内側閉鎖シール（１１１）は、上端（１１１ａ）が上記嵌合条部（２１ａ，２１ｂ）よりも上であり、かつ、スライダー（３）の内側ガイド（３２）の移動を干渉することのない位置に設けられており、
下部シール（１１２）は、上端（１１２ａ）が上記嵌合条部（２１ａ，２１ｂ）よりも下の位置に設けられており、
上記内側閉鎖シール（１１１）よりも袋本体（１）の側端側の少なくとも一部で、上記一方側嵌合条部（２１ａ）と他方側嵌合条部（２１ｂ）とが接着されない状態とされたものであって、
スライダー（３）が閉鎖時スライダー位置（Ｓ）にある際、上記内側ガイド（３２）によって上記嵌合条部（２１ａ，２１ｂ）が引き離された状態となることを特徴とする密封袋。
【請求項３】
上記チャックテープ（２）の上端が、上記袋本体（１）の上端よりも下に位置することを特徴とする、請求項１または２に記載の密封袋。
【請求項４】
上記スライダー（３）が開口時スライダー位置（Ｏ）と閉鎖時スライダー位置（Ｓ）の各々にある際に、このスライダー（３）の内側ガイド（３２）に対して、スライダー（３）の移動範囲を基準とした外側から当接可能なストッパー（４）が設けられたことを特徴とする、請求項１〜３のいずれかに記載の密封袋。
【請求項５】
上記ストッパー（４）が、上記閉鎖側開口部止めシール（１１）の一部（１１３）を兼ねることを特徴とする、請求項４に記載の密封袋。
【請求項６】
上記スライダー（３）における内側ガイド（３２）の基端部分（３２ａ）が、上記スライダー本体（３１）に対してヒンジ接続されており、
これにより内側ガイド（３２）が、上記開口部（１ａ）に取り付ける際に一旦上方に跳ね上げることができるものとされたことを特徴とする、請求項１〜５のいずれかに記載の密封袋。
【請求項７】
上記スライダー（３）の下端が、上記外側ガイド（３３）よりも下方に延長されて設けられたものであり、この延長部分（３１ａ）の内面が上記袋本体（１）の外側表面から離れて配位されたものであることを特徴とする、請求項１〜６のいずれかに記載の密封袋。
【請求項８】
上記一方側テープ（２ａ）と他方側テープ（２ｂ）とのうち少なくとも一方における、上記袋本体（１）を構成するプラスチックフィルムに対する接着箇所（Ｓｅ３）が、上記嵌合条部（２１ａ，２１ｂ）よりも上方に位置しており、かつ、上記嵌合条部（２１ａ，２１ｂ）よりも下方においては、上記接着箇所（Ｓｅ３）によって接着された上記テープ（２ａ，２ｂ）と上記袋本体（１）を構成するプラスチックフィルムとが接着されていないことを特徴とする、請求項１〜７のいずれかに記載の密封袋。
【発明の詳細な説明】
【技術分野】
【０００１】
本願発明は、スライダーにより開口部を開閉可能とした密封袋に関するものである。
【背景技術】
【０００２】
【特許文献１】特開２００２−５８５０９号公報
【特許文献２】特開２００１−１３０５９４号公報
【０００３】
従来から、スライダーにより開口部を開閉可能とした密封袋は周知である。
【０００４】
この密封袋は、対向する関係にあるプラスチックフィルムから構成された袋本体の上端に設けられた開口部にチャックを備えたものであり、このチャックを開放及び閉鎖するためのスライダーが開口部を跨ぐようにして設けられたものである。
【０００５】
この密封袋の一例として特許文献１に係る発明が存在する。これは、図８に示すように、袋の開口部に凹条１０１ａと凸条１０１ｂとが対向したチャック１０１が設けられており、このチャック１０１に沿って開放位置から閉鎖位置までスライド可能にスライダー１０２が設けられたものである。
【０００６】
このスライダー１０２によってチャック１０１を開閉可能とするため、閉鎖の際には図示のように、スライダー１０２の内面１０２ａにてチャック１０１を押さえることが必要である。一方、開放の際には、上記の凹条１０１ａと凸条１０１ｂとを引き離すことができるように、凹条１０１ａと凸条１０１ｂとの間にスライダー１０２の内側ガイド１０２ｂを挟んでいる。
【発明の開示】
【発明が解決しようとする課題】
【０００７】
ところが、この内側ガイド１０２ｂが挟まれている部分においては、凹条１０１ａと凸条１０１ｂとを嵌合させることができずに空間が保たれたままになるため、チャック１０１を完全に密閉することができなかった。
【０００８】
一方、特許文献２に係る発明では、図９に示すように、内側ガイド１０２ｂが凹条１０１ａ及び凸条１０１ｂから外れた部分に設けられている。この発明においては、チャック１０１の凹条１０１ａ及び凸条１０１ｂの上方にガイド用凸条１０３が設けられており、図示のように、内側ガイド１０２ｂの下端部分が凹条１０１ａ及び凸条１０１ｂとガイド用凸条１０３との間に配位される。よって、上記のように凹条１０１ａ及び凸条１０１ｂとの間に内側ガイド１０２ｂが挟まれてチャック１０１を完全に密閉することができないという問題は起こらない。
【０００９】
しかし、この特許文献２に係る発明における内側ガイド１０２ｂには膨出部１０２ｂ１が設けられており、スライダー１０２が閉鎖位置にある場合に密封袋を構成するプラスチックフィルムに無理がかからないように、このプラスチックフィルムには図１０に示すように、膨出部１０２ｂ１の一部を突出させるための逃がし孔１０４が設けられている。あるいは、プラスチックフィルムの一部だけを広げることができるように、図１１に示すようにスリット１０５を形成していた。
【００１０】
この特許文献２に係る発明では、上記のように逃がし孔１０４やスリット１０５を作る必要があるため、密封袋の製造工程が複雑になるという問題や、ユーザーがこの逃がし孔１０４やスリット１０５を製造不良によるプラスチックフィルムの破れと誤認する問題があった。
【００１１】
本願発明は上記のことに鑑み、完全に密閉することが可能であり、しかも容易に製造できる密封袋を提供することを課題とする。
【課題を解決するための手段】
【００１２】
上記課題を解決するために、本願の請求項１に記載の発明は、対向する関係にあるプラスチックフィルムから構成された袋本体１の上端に設けられた開口部１ａに、前記袋本体１とは別に形成された樹脂製のチャックテープ２が接着されており、このチャックテープ２を開放及び閉鎖するためのスライダー３が上記開口部１ａを跨ぐようにして設けられたものであって、上記チャックテープ２は、対向するように配位された二枚のテープ状体からなり、上記二枚のうちの一方側テープ２ａには、表面から突出するようにして、長手方向に延びる一方側嵌合条部２１ａが設けられており、上記二枚のうちの他方側テープ２ｂには、上記一方側テープ２ａと対向する表面から突出するようにして、上記一方側嵌合条部２１ａに嵌合可能な、長手方向に延びる他方側嵌合条部２１ｂが設けられており、上記一方側テープ２ａと他方側テープ２ｂとの少なくとも一方には、表面から突出するようにして、上記嵌合条部２１ａ，２１ｂよりも上方において平行にガイド用凸条２２が設けられており、スライダー３は、開口時スライダー位置Ｏから閉鎖時スライダー位置Ｓまでの間を上記チャックテープ２に沿って移動可能とされており、上記開口部１ａを跨ぐように設けられたスライダー本体３１と、上記スライダー本体３１の上方部分３１１における内面から突出したものであり、上記対向する一方側テープ２ａと他方側テープ２ｂとの間に挟まれるようにして設けられた内側ガイド３２と、上記スライダー本体３１のうち側方部分３１２における内面から突出したものであり、上記袋本体１の外側表面に当接するように設けられた外側ガイド３３とを備えており、上記内側ガイド３２は、上記嵌合条部２１ａ，２１ｂとガイド用凸条２２との間において、上記各テープ２ａ，２ｂの間を広げることにより、各嵌合条部２１ａ，２１ｂを引き離して開口部１ａを開放するように配位されるものであり、上記開口部１ａは、開口部止めシール１１，１２が形成されたことにより、上記の開口時スライダー位置Ｏと閉鎖時スライダー位置Ｓにおけるスライダー３に各々隣接する部分の一方側テープ２ａと他方側テープ２ｂとが接着されており、上記のうち、上記閉鎖時スライダー位置Ｓの側に設けられた閉鎖側開口部止めシール１１が、少なくとも内側閉鎖シール１１１と下部シール１１２の二つの部分により構成されており、上記内側閉鎖シール１１１は、上端１１１ａが上記嵌合条部２１ａ，２１ｂよりも上であり、かつ、スライダー３の上記開口時スライダー位置Ｏと閉鎖時スライダー位置Ｓとの間でのチャックテープ２に沿った移動の際に、内側ガイド３２と干渉することのない位置に設けられており、下部シール１１２は、上端１１２ａが上記嵌合条部２１ａ，２１ｂよりも下の位置に設けられており、
上記内側閉鎖シール１１１よりも袋本体１の側端側の少なくとも一部で、上記一方側嵌合条部２１ａと他方側嵌合条部２１ｂとが接着されない状態とされたことを特徴とする密封袋を提供する。
【００１３】
なお、上記では開口部１ａの位置を袋本体１の上端としているが、これは本願発明の構成を特定するために便宜上定めた位置関係に過ぎない。よって、本願発明は上記文言上の位置関係に限定されるものではない。
【００１４】
また、本願の請求項２に記載の発明は、対向する関係にあるプラスチックフィルムから構成された袋本体１の上端に設けられた開口部１ａに、前記袋本体１とは別に形成された樹脂製のチャックテープ２が接着されており、このチャックテープ２を開放及び閉鎖するためのスライダー３が上記開口部１ａを跨ぐようにして設けられたものであって、上記チャックテープ２は、対向するように配位された二枚のテープ状体からなり、上記二枚のうちの一方側テープ２ａには、表面から突出するようにして、長手方向に延びる一方側嵌合条部２１ａが設けられており、上記二枚のうちの他方側テープ２ｂには、上記一方側テープ２ａと対向する表面から突出するようにして、上記一方側嵌合条部２１ａに嵌合可能な、長手方向に延びる他方側嵌合条部２１ｂが設けられており、上記一方側テープ２ａと他方側テープ２ｂとの少なくとも一方には、表面から突出するようにして、上記嵌合条部２１ａ，２１ｂよりも上方において平行にガイド用凸条２２が設けられており、スライダー３は、開口時スライダー位置Ｏから閉鎖時スライダー位置Ｓまでの間を上記チャックテープ２に沿って移動可能とされており、上記開口部１ａを跨ぐように設けられたスライダー本体３１と、上記スライダー本体３１の上方部分３１１における内面から突出したものであり、上記対向する一方側テープ２ａと他方側テープ２ｂとの間に挟まれるようにして設けられた内側ガイド３２と、上記スライダー本体３１のうち側方部分３１２における内面から突出したものであり、上記袋本体１の外側表面に当接するように設けられた外側ガイド３３とを備えており、上記内側ガイド３２は、上記嵌合条部２１ａ，２１ｂとガイド用凸条２２との間において、上記各テープ２ａ，２ｂの間を広げることにより、各嵌合条部２１ａ，２１ｂを引き離して開口部１ａを開放するように配位されるものであり、上記開口部１ａは、開口部止めシール１１，１２が形成されたことにより、上記の開口時スライダー位置Ｏと閉鎖時スライダー位置Ｓにおけるスライダー３に各々隣接する部分の一方側テープ２ａと他方側テープ２ｂとが接着されており、上記のうち、上記閉鎖時スライダー位置Ｓの側に設けられた閉鎖側開口部止めシール１１が、少なくとも内側閉鎖シール１１１と下部シール１１２の二つの部分により構成されており、上記内側閉鎖シール１１１は、上端１１１ａが上記嵌合条部２１ａ，２１ｂよりも上であり、かつ、スライダー３の内側ガイド３２の移動を干渉することのない位置に設けられており、下部シール１１２は、上端１１２ａが上記嵌合条部２１ａ，２１ｂよりも下の位置に設けられており、上記内側閉鎖シール１１１よりも袋本体１の側端側の少なくとも一部で、上記一方側嵌合条部２１ａと他方側嵌合条部２１ｂとが接着されない状態とされたものであって、スライダー３が閉鎖時スライダー位置Ｓにある際、上記内側ガイド３２によって上記嵌合条部２１ａ，２１ｂが引き離された状態となることを特徴とする密封袋を提供する。
【００１５】
また、本願の請求項３に記載の発明は、上記チャックテープ２の上端が、上記袋本体１の上端よりも下に位置することを特徴とする、請求項１または２に記載の密封袋を提供する。
【００１６】
また、本願の請求項４に記載の発明は、上記スライダー（３）が開口時スライダー位置（Ｏ）と閉鎖時スライダー位置（Ｓ）の各々にある際に、このスライダー（３）の内側ガイド（３２）に対して、スライダー（３）の移動範囲を基準とした外側から当接可能なストッパー（４）が設けられたことを特徴とする、請求項１〜３のいずれかに記載の密封袋を提供する。
【００１７】
また、本願の請求項５に記載の発明は、上記ストッパー４が、上記閉鎖側開口部止めシール１１の一部１１３を兼ねることを特徴とする、請求項４に記載の密封袋を提供する。
【００１８】
また、本願の請求項６に記載の発明は、上記スライダー３における内側ガイド３２の基端部分３２ａが、上記スライダー本体３１に対してヒンジ接続されており、これにより内側ガイド３２が、上記開口部１ａに取り付ける際に一旦上方に跳ね上げることができるものとされたことを特徴とする、請求項１〜５のいずれかに記載の密封袋を提供する。
【００１９】
また、本願の請求項７に記載の発明は、上記スライダー３の下端が、上記外側ガイド３３よりも下方に延長されて設けられたものであり、この延長部分３１ａの内面が上記袋本体１の外側表面から離れて配位されたものであることを特徴とする、請求項１〜６のいずれかに記載の密封袋を提供する。
【００２０】
また、本願の請求項８に記載の発明は、上記一方側テープ２ａと他方側テープ２ｂとのうち少なくとも一方における、上記袋本体１を構成するプラスチックフィルムに対する接着箇所Ｓｅ３が、上記嵌合条部２１ａ，２１ｂよりも上方に位置しており、かつ、上記嵌合条部２１ａ，２１ｂよりも下方においては、上記接着箇所Ｓｅ３によって接着された上記テープ２ａ，２ｂと上記袋本体１を構成するプラスチックフィルムとが接着されていないことを特徴とする、請求項１〜７のいずれかに記載の密封袋を提供する。
【発明の効果】
【００２１】
本願発明は、閉鎖側開口部止めシール１１の内側閉鎖シール１１１が、上端１１１ａが上記嵌合条部２１ａ，２１ｂよりも上であり、かつ、スライダー３の内側ガイド３２の移動を干渉することのない位置に設けられており、下部シール１１２が、上端１１２ａが上記嵌合条部２１ａ，２１ｂよりも下の位置に設けられており、上記内側閉鎖シール１１１よりも袋本体１の側端側においては上記一方側嵌合条部２１ａと他方側嵌合条部２１ｂとが接着されない状態にあることから、少なくとも内側閉鎖シール１１１と下部シール１１２によって規定された、ヒートシールのなされない部分であるポケット部Ｐが形成される。このポケット部Ｐは少なくとも内側閉鎖シール１１１と下部シール１１２とによって密封袋において物品を収納するための内部空間とは仕切られていることにより、完全に密閉可能な密封袋を提供することができる。
【００２２】
そして、上記ポケット部Ｐにスライダー３の膨出部３２２が位置した場合であっても、対向するチャックテープ２１ａ，２１ｂの間を無理なく広げることができるため、従来のような逃がし孔やスリットを袋本体１に設ける必要がない。よって、容易に製造できる密封袋を提供することができる。
【発明を実施するための最良の形態】
【００２３】
以下、図面に基づき本願発明の実施の形態の一例をとりあげて説明する。図１は、本例に係る密封袋の全体を示す。図２は同密封袋の開口部及びチャックテープを示す。図３はスライダーを示す。図４はスライダーの取り付けられた密封袋の開口部を示す。図５は開口部止めシールを示す。
【００２４】
本願発明に係る密封袋は、袋本体１、チャックテープ２、スライダー３の三点が組み合わされて構成されている。
【００２５】
袋本体１は、対向する関係にあるプラスチックフィルムから構成された袋状の部分である。このプラスチックフィルムとしては、エアーバリア性を有するものを用いることが望ましい。本例では、ヒートシール可能な素材からなる、長方形のプラスチックシートを二枚、各々の端辺が一致するように重ね合わせ、開口部となる以外の端辺（本例のように逆止弁１ｂが端辺に設けられる場合は、その部分も除く）をヒートシールにより接着した平たい形状の袋である。ただし、袋本体１の形状は本例のものに限定されるものではなく、例えば端部に襠を有する袋としても良い。
【００２６】
また、詳細な構造は説明しないが、袋本体の内部を脱気するための逆止弁１ｂをこの袋本体１に設けても良い。本例では図示のように、プラスチックフィルムからなる逆止弁１ｂを袋本体１の図示下側端辺において、袋本体１を構成する対向するプラスチックフィルムに挟むようにして設けている。
【００２７】
チャックテープ２は、上記袋本体１とは別に形成された樹脂製のものである。これは熱により溶融することによってヒートシール可能な素材からなっており、本例ではポリエチレン樹脂が用いられている。このチャックテープ２は、袋本体１の上端に設けられた開口部１ａの内面にヒートシールにより接着されている。
【００２８】
このチャックテープ２は、対向するように配位された二枚のテープ状体からなり、二枚のうちの一方側テープ２ａには、表面から突出するようにして、長手方向に延びる一方側嵌合条部２１ａが設けられており、同他方側テープ２ｂには、上記一方側テープ２ａと対向する表面から突出するようにして、上記一方側嵌合条部２１ａに嵌合可能な、長手方向に延びる他方側嵌合条部２１ｂが設けられている。各嵌合条部２１ａ，２１ｂは、一方側２１ａが凸条、他方側２１ｂが凹条として形成されたものが一般的であるが、一方側と他方側とが気密に嵌合可能なものであれば、凹凸が組み合わされた形状など、種々の形状で実施することができる。また、チャックテープ２の一枚当たりに形成される嵌合条部２１ａ，２１ｂの本数は、一本であっても良いし複数本が並列して設けられたものであっても良い。
【００２９】
そして、上記一方側テープ２ａと他方側テープ２ｂとの少なくとも一方には、表面から突出するようにして、上記各嵌合条部２１ａ，２１ｂよりも上方において平行にガイド用凸条２２が設けられている。本例においては、各テープ２ａ，２ｂの各々において対向する位置にガイド用凸条２２，２２が設けられている。なお、本例では図２に示すように、各テープ２ａ，２ｂの端辺から同一の距離にガイド用凸条２２，２２が設けられたものとされているが、互い違いになるように設けても良い。図４（Ｂ）に示すように、上記の各嵌合条部２１ａ，２１ｂとこのガイド用凸条２２，２２との間に、後述するスライダー３の膨出部３２２が配位される。
【００３０】
ここで本例では、袋本体１の開口部１ａに取り付けられたチャックテープ２の上端が、図２に示すように、袋本体１の上端よりも下に位置する、いわゆる「インナーチャック」構造とされている。
【００３１】
一方、先に説明した特許文献１及び２に記載された密封袋の開口部は、いわゆる「天チャック」構造、つまり、密封袋の袋本体の上端よりもチャックテープの上端が上に設けられた構成を取ることを前提としている。
【００３２】
チャックテープは上記のように通常ポリエチレン樹脂から形成されているが、このチャックテープの端部をヒートシールしようとしても、テープ全体が溶融して形が崩れてしまう恐れがあることから、チャックテープを十分に溶融させることができず、気密性の高いヒートシールを施すことが困難であった。そのため、「天チャック」構造では、密封袋全体の気密性を高めることが困難であった。
【００３３】
これに対し、本例はいわゆる「インナーチャック」構造を取ることによって、ヒートシールの際に溶融したチャックテープ２のポリエチレン樹脂を袋本体１を構成するプラスチックフィルムで挟むことができる。つまり、対向する関係にある袋本体１のプラスチックフィルムの間において十分な熱を加えてチャックテープ２を溶融させることが可能であり、これにより、従来と比べて高い気密性を持ってヒートシールすることができる。
【００３４】
また、本例における一方側テープ２ａは、袋本体１を構成するプラスチックフィルムに対し、上記一方側嵌合条部２１ａを基準とした上側と下側とにおいて、一方側嵌合条部２１ａに平行にヒートシールＳｅ１，Ｓｅ２がされたことにより取り付けられている。そして、同他方側テープ２ｂは、袋本体１を構成するプラスチックフィルムに対し、上記他方側嵌合条部２１ｂを基準とした上側のみにおいて、他方側嵌合条部２１ｂに平行にヒートシールＳｅ３がされたことにより取り付けられている（図７（Ａ）（Ｂ）参照）。
【００３５】
ここで、一方側テープ２ａをプラスチックフィルムに対して上記と同じようにヒートシール（Ｓｅ１’，Ｓｅ２’）し、他方側テープ２ｂを一方側テープ２ａと同じように、上下ともプラスチックフィルムに対してヒートシール（Ｓｅ３’，Ｓｅ４’）したとすると、袋内の内圧が開口部１ａにかかった場合、図７（Ｄ）に矢印で示すように、この内圧が嵌合された状態にある各嵌合条部２１ａ，２１ｂを引き離すように働いてしまう。これに対して、本例のように他方側テープ２ｂを上部のみヒートシールしたものとすることにより、袋内の内圧が開口部１ａにかかった場合でも、図７（Ｃ）に矢印で示すように、この内圧を他方側テープ２ｂとプラスチックフィルムとの間に導くことができる。これにより各嵌合条部２１ａ，２１ｂの嵌合がより強まるように作用するため、袋内の密封状態が破られるということが起こりにくく、袋内の密封状態がより良く保たれる。
【００３６】
なお、各テープ２ａ，２ｂと袋本体１を構成するプラスチックフィルムとの接着は、上記に示した形態に限られず、一方側テープ２ａと他方側テープ２ｂとのうち少なくとも一方における、上記袋本体１を構成するプラスチックフィルムに対する接着箇所が、上記各嵌合条部２１ａ，２１ｂよりも上方に位置していれば良い。
【００３７】
スライダー３は、上記のチャックテープ２を開放及び閉鎖するためのものであって、図１及び図４（Ａ）に示すように開口部１ａを跨ぐようにして設けられたものである。このスライダー３は、図１に示す左端側である開口時スライダー位置Ｏから図１に示す右端側である閉鎖時スライダー位置Ｓまでの間を上記チャックテープ２に沿って移動可能とされている。
【００３８】
このスライダー３は図３に示すように、上記開口部１ａを跨ぐように設けることのできる部分であるスライダー本体３１と、このスライダー本体３１の上方部分３１１における内面から突出したものであり、上記対向する一方側テープ２ａと他方側テープ２ｂとの間に挟まれるようにして設けられた内側ガイド３２と、スライダー本体３１のうち側方部分３１２における内面から突出したものであり、袋本体１の外側表面に当接するように設けられた外側ガイド３３とを備えている。
【００３９】
上記内側ガイド３２は膨出部３２２を有している。本例では、図示のようにスライダー本体３１から突出する棒状の支持部３２１が設けられており、この支持部３２１の先端に膨出部３２２が設けられている。この膨出部３２２は、図４（Ｂ）に示すように、チャックテープ２における上記各嵌合条部２１ａ，２１ｂとガイド用凸条２２，２２との間に配位される。そのため、先に説明した特許文献１に示すように、各嵌合条部２１ａ，２１ｂの間に内側ガイド３２が挟まれることによって各嵌合条部２１ａ，２１ｂが嵌合できずに空間が保たれたままになることがなく、開口部１ａを完全に密閉することができる。なお、内側ガイド３２が存在することから、スライダー３は移動方向に対して非対称形状となる。そのため、スライダー３の開口部１ａへの取り付け方向を間違えないように、本例においては表裏を識別するための識別マーク３５が側方部分３１２の表面に設けられている。
【００４０】
このスライダー３は、上記のようにスライダー本体３１が開口部１ａに跨がるように取り付けられ、内側ガイド３２が一方側テープ２ａと他方側テープ２ｂとの間へと挿入される。
【００４１】
ここで、スライダー本体３１を一方側テープ２ａと他方側テープ２ｂの外側に取り付けつつ、同時に、内側ガイド３２を一方側テープ２ａと他方側テープ２ｂとの間へと挿入する作業は大変困難である。そのため、スライダー３における内側ガイド３２の基端３２ａが、スライダー本体３１に対してヒンジ接続されている。このようにヒンジ接続されたことによって、図３に示すように内側ガイド３２がスライダー本体３１から跳ね上げられた状態のままでスライダー本体３１を開口部１ａに取り付ける作業を行い、その後、図３上の矢印方向に内側ガイド３２を回転させ、一方側テープ２ａと他方側テープ２ｂの間へ内側ガイド３２を挿入する作業を行うことができ、スライダー３の袋本体１への取り付け作業を比較的容易に行うことができる。
【００４２】
上記ヒンジ接続は、図３に示すように、スライダー本体３の上方部分３１１が、スライダー３の開口部１ａに対する移動方向に沿う方向に平行に切断され、各切断面の末端同士を結ぶ線分に一致する部分は切断されないことで、一箇所だけが上記上方部分３１１につながったヒンジ部３４が設けられたことによってなされている。
【００４３】
上記外側ガイド３３は、図４（Ａ）に示すように、袋本体１越しにチャックテープ２を外側から押さえることのできる部分であって、これにより各嵌合条部２１ａ，２１ｂを嵌合させてチャックテープ２を閉鎖できる。本例では、図３に示すように一部にスライダー３の開口部１ａに対する移動方向に沿う方向に平行に突出する凸条を有するものとされている。なお、外側ガイド３３の形状は本例のものに限定されるものではなく、種々の形状で実施可能である。
【００４４】
更に本例では、図３及び図４に示すように、スライダー３の下端が上記の外側ガイド３３よりも下方に延長されて設けられたものであり、この延長部分３１ａの内面が上記袋本体１の外側表面から離れて配位されている。この延長部分３１ａ，３１ａの間を押し広げることによって、上記のスライダー本体３１の開口部１ａへの取り付けをより容易に行うことができる。そのため、上記の延長部分の３１ａ，３１ａの押し広げ、及び、跳ね上げられた内側ガイド３２の開口部１ａへの挿入作業を自動的に行えるようにすることによって、スライダー３の取り付け作業を連続工程で自動化できる。
【００４５】
次に、密封袋１の開口部１ａは、図１及び図４に示すように、ヒートシールによって形成された開口部止めシール１１，１２により、上記の開口時スライダー位置Ｏと閉鎖時スライダー位置Ｓにおけるスライダー３に各々隣接する部分の一方側テープ２ａと他方側テープ２ｂとが接着されている。
【００４６】
上記のうち、閉鎖時スライダー位置Ｓの側に設けられた閉鎖側開口部止めシール１１については、少なくとも内側閉鎖シール１１１と下部シール１１２の二つの部分により構成されている。本例ではこれらに加えてストッパーシール１１３が設けられており、三つの部分により構成されている。
【００４７】
内側閉鎖シール１１１は、図５（Ａ）に示すように、その上端１１１ａが上記の嵌合条部２１ａ，２１ｂよりも上であり（具体的には、上記の上端１１１ａが上記の嵌合条部２１ａ，２１ｂのいずれかの下端よりも上方に形成されている）、かつ、スライダー３の内側ガイド３２の移動を干渉することのない位置に設けられている。つまり、この内側閉鎖シール１１１の形成にあっては、各嵌合条部２１ａ，２１ｂがヒートシール時の熱により溶融しても、その際に溶融した樹脂が各嵌合条部２１ａ，２１ｂとガイド用凸条２２の間においてスライダー３の内側ガイド３２の移動を干渉する程には入り込んでしまわないようになされる。
【００４８】
下部シール１１２は、図５（Ａ）に示すように、上記の内側閉鎖シール１１１に連続するものであって、内側閉鎖シール１１１よりも閉鎖時スライダー位置Ｓ寄り（図示右寄り）に設けられたものである。この下部シール１１２は、その上端１１２ａが上記嵌合条部２１ａ，２１ｂよりも下の位置に設けられており（具体的には、上記の上端１１２ａが上記の嵌合条部２１ａ，２１ｂのいずれかの下端よりも下方に形成されている）、下端は内側閉鎖シール１１１の下端と同位置に設けられている。
【００４９】
ストッパーシール１１３は、図５（Ａ）に示すように、上記の下部シール１１２に連続するものであって、下部シール１１２よりも閉鎖時スライダー位置Ｓ寄り（図示右寄り）に設けられたものである。このストッパーシール１１３は、その上端１１３ａが袋本体１の上端に一致するように設けられており、下端は内側閉鎖シール１１１及び下部シール１１２の下端と同位置に設けられている。なお通常の場合、図１に示すように、このストッパーシール１１３と袋本体１に形成された端辺シールとは重ねて設けられている。
【００５０】
この閉鎖側開口部止めシール１１におけるストッパーシール１１３は、スライダー３が閉鎖時スライダー位置Ｓに存在する際に、図５（Ａ）に示すように、このスライダー３の内側ガイド３２の更に外側（スライダー３の移動範囲の外側）に存在することでスライダー３がそれ以上移動することを阻止し、スライダー３が密封袋１の開口部１ａから脱落してしまうことを防いでいる。
【００５１】
このストッパーシール１１３は、本願発明においては必須ではなく設けなくても良い。ただしその場合にあっても、上記のようにスライダー３の開口部１ａからの脱落を防止するために、スライダー３が閉鎖時スライダー位置Ｓに存在する際に、このスライダー３の一部に当接するためのストッパー４を設けておく必要がある。このストッパー４は本例のようなヒートシールに限定されず、クリップ状の金具や樹脂製部品などを袋本体１及びチャックテープ２に取り付けたり、チャックテープ２の端部を膨らませるなどして変形させたものであっても良く、種々の形態で実施可能である。本例ではこのストッパーシール１１３が上記のストッパー４を兼ねている。なお、上記では閉鎖時スライダー位置Ｓについて説明したが、閉鎖時スライダー位置Ｏにあっても同様であり、本例では開放側開口部止めシール１２の一部がストッパー４を兼ねている。
【００５２】
上記のように各シール１１１〜１１３が設けられたことにより、内側閉鎖シール１１１の閉鎖時スライダー位置Ｓ寄りの端辺（図示右側端辺）１１１ｂ及びその延長線、下部シール１１２の上端辺１１２ａ、ストッパーシール１１３の開放時スライダー位置Ｏ寄り（図示左寄り）の端辺１１３ｂ、の各々によって規定された、ヒートシールのなされない部分であるポケット部Ｐが形成される。
【００５３】
ここで、もしもストッパーシール１１３が設けられない場合においては、ポケット部Ｐの閉鎖時スライダー位置Ｓ寄りの端部（図示右側端部）は、袋本体１及びチャックシール２の閉鎖時スライダー位置Ｓ寄りの端辺（図示右側端辺）によって規定される。
【００５４】
このようにポケット部Ｐが形成されたことにより、内側閉鎖シール１１１よりも袋本体１の側端側の少なくとも一部で上記一方側テープ２ａにおける嵌合条部２１ａと他方側テープ２ｂにおける嵌合条部２１ｂとが接着されてない状態とされる。そのため、図５（Ａ）に示すように、このポケット部Ｐにスライダー３の膨出部３２２が位置した場合であっても、図６に示すように、対向するチャックテープ２ａ，２ｂの間を無理なく広げることができるため、特許文献２に記載の発明のような逃がし孔やスリットを袋本体１に設ける必要がない（図１０参照）。
【００５５】
しかも、このポケット部Ｐは少なくとも内側閉鎖シール１１１と下部シール１１２とによって、密封袋において物品を収納するための内部空間とは仕切られている。そのため、密封袋の気密性に影響を与えることがない。
【００５６】
図１において右側に形成された閉鎖側開口部止めシール１１については上記の通りであるが、同左側に形成された開放側開口部止めシール１２についても基本的な構成は同じである。ただ、この開放側開口部止めシール１２は、開口部１ａが開いた際にスライダー３が位置する部分であるため、スライダー３の膨出部３２２が干渉しない形状でさえあれば、種々の形状で実施可能である。本例では、図５（Ｂ）に示すように、膨出部３２２が位置する部分についてヒートシールを省略している。
【００５７】
なお本例では、閉鎖側開口部止めシール１１と開放側開口部止めシール１２とは、図５（Ｃ）に示すように一体に形成される。そして、製袋時に各密封袋単位に切り離される工程において、各開口部止めシール１１，１２に切り離される。
【００５８】
上記のように閉鎖側開口部止めシール１１が形成されているため、スライダー３を図１上の左側から右側へと移動させることにより、図４（Ａ）に示すように、チャックテープ２をスライダー３の外側ガイド３３が押さえつけ、これにより各嵌合条部２１ａ，２１ｂの嵌合がなされて開口部１ａが閉鎖される。そして、スライダー３が図示右側まで移動した場合でも、図６に示す状態となって、袋本体１を構成するプラスチックフィルムには無理がかからず、袋内の気密状態が良好に保たれる。
【００５９】
逆に、スライダー３を図１上の右側から左側に移動させることにより、図４（Ｂ）に示すように、スライダー３の膨出部３２２が各嵌合条部２１ａ，２１ｂを引き離すため、開口部１ａを簡単に開放することができる。
【図面の簡単な説明】
【００６０】
【図１】本例に係る密封袋全体を示す正面図である。
【図２】同密封袋の開口部及びチャックテープを示す縦端面図である。
【図３】本例に係るスライダーを示し、内側ガイドを跳ね上げた状態を示す斜視図である。
【図４】本例に係る密封袋の開口部を示す縦端面図であり、（Ａ）は各嵌合条部が嵌合した状態を示し、（Ｂ）はスライダーにより各嵌合条部が引き離された状態を示す。
【図５】開口部止めシールとスライダーを示す正面視概略図であり、（Ａ）は閉鎖側開口部止めシールを示し、（Ｂ）は開放側開口部止めシールを示し、（Ｃ）は密封袋の製造途中における開口部止めシールの形状を示す。
【図６】ポケット部の位置における、開口部止めシールとスライダーを示す縦端面図である。
【図７】（Ａ）はチャックテープと袋本体との間の接着を示す縦端面の概略図であり、（Ｂ）は同正面視の概略図であり、（Ｃ）は内圧が作用した場合を示す縦断面視の概略図であり、（Ｄ）は比較例の縦断面視の概略図である。
【図８】従来のチャックテープとスライダーとの関係を示す縦端面図である。
【図９】従来のチャックテープとスライダーとの関係を示す縦端面図である。
【図１０】従来のチャックテープとスライダーとの関係を示す斜視図である。
【図１１】従来のチャックテープとスライダーとの関係を示す斜視図である。
【符号の説明】
【００６１】
１        袋本体
１１      閉鎖側開口部止めシール
１１１    内側閉鎖シール
１１１ａ  内側閉鎖シールの上端
１１２    下部シール
１１２ａ  下部シールの上端
１１３    ストッパーシール
１２      開放側開口部止めシール
１ａ      開口部
２        チャックテープ
２ａ      一方側テープ
２ｂ      他方側テープ
２１ａ    一方側嵌合条部
２１ｂ    他方側嵌合条部
２２      ガイド用凸条
３        スライダー
３１      スライダー本体
３１ａ    延長部分
３１１    スライダー本体の上方部分
３１２    スライダー本体の側方部分
３２      内側ガイド
３２ａ    内側ガイドの基端部分
３２２    膨出部
３３      外側ガイド
４        ストッパー
Ｏ        開口時スライダー位置
Ｓ        閉鎖時スライダー位置
Ｓｅ１〜Ｓｅ３        チャックテープとプラスチックフィルムとの接着箇所
Ｐ        ポケット部
【要約】
【課題】完全に密閉することが可能であり、しかも容易に製造できる密封袋の提供。
【解決手段】開口部にチャックテープと開閉用のスライダー３が設けられており、チャックテープには嵌合条部２１ａ，２１ｂとガイド用凸条２２とが設けられ、スライダー３は内側ガイド３２を備えており、開口部の閉鎖時スライダー位置Ｓの側に設けられた閉鎖側開口部止めシール１１が、少なくとも内側閉鎖シール１１１と下部シール１１２により構成されており、内側閉鎖シール１１１は、上端１１１ａが嵌合条部２１ａ，２１ｂよりも上であり、かつ、スライダー３の内側ガイド３２の移動を干渉することのない位置に設けられており、下部シール１１２は、上端１１２ａが嵌合条部２１ａ，２１ｂよりも下の位置に設けられており、内側閉鎖シール１１１よりも袋本体１の側端側においては一方側嵌合条部２１ａと他方側嵌合条部２１ｂとが接着されない状態とされている。
【選択図】図５【図１】
0004176822.tif 000002
【図２】
0004176822.tif 000003
【図３】
0004176822.tif 000004
【図４】
0004176822.tif 000005
【図５】
0004176822.tif 000006
【図６】
0004176822.tif 000007
【図７】
0004176822.tif 000008
【図８】
0004176822.tif 000009
【図９】
0004176822.tif 000010
【図１０】
0004176822.tif 000011
【図１１】
0004176822.tif 000012